(57)【要約】【課題】全体的な重量バランスを良好にして器具本体に傾きやねじれを生ずることがない高品質な照明器具を提供する。【解決手段】照明器具１０は、光源１２を保持した器具本体１３と、光源１２を一般点灯させるための安定器１８および光源１２を非常点灯させるための非常灯ブロック１９と、非常灯用の電池の充電量を示すモニターランプと、充電量を確認するための点検スイッチ２１と、安定器１８、非常灯ブロック１９、モニターランプ、点検スイッチ２１を収納する非常灯ボックス１６と、を有し、非常灯ボックス１６は、その幅方向の一方側に安定器１８を配置し、その幅方向の他方側に非常灯ブロック１９を配置した。【選択図】図３
2011090926.tif 000002
【特許請求の範囲】
【請求項１】
光源を保持した器具本体と、
前記光源を一般点灯させるための安定器および前記光源を非常点灯させるための非常灯ブロックと、
非常灯用の電池の充電量を示すモニターランプと、
前記充電量を確認するための点検スイッチと、
前記安定器、前記非常灯ブロック、前記モニターランプ、前記点検スイッチを収納する非常灯ボックスと、
を有する照明器具において、
前記非常灯ボックスは、その幅方向の一方側に前記安定器を配置し、その幅方向の他方側に前記非常灯ブロックを配置していることを特徴とする照明器具。
【請求項２】
前記器具本体は、前記非常灯ボックスを含む上面に空間を有することを特徴とする請求項１に記載した照明器具。
【発明の詳細な説明】
【技術分野】
【０００１】
本発明は、例えば住宅や工場等の天井施工面に直接取り付けられる照明器具に関する。
【背景技術】
【０００２】
従来の照明器具の一例として、安定器および非常灯ブロックを互いに向き合う状態で器具本体の長手方向に沿うように器具本体の中央部に取り付けたものがある（例えば、特許文献１参照）。
【先行技術文献】
【特許文献】
【０００３】
【特許文献１】特開平６−３１４５１１号公報（図１、段落番号００２４）
【発明の概要】
【発明が解決しようとする課題】
【０００４】
上記特許文献１に開示された照明器具は、安定器および非常灯ブロックを器具本体の中央部に取り付けている。しかし、特許文献１の照明器具においては、重量バランスが良好であるとは言えない。
従って、特許文献１の照明器具では、器具本体に傾きやねじれを生ずることがあるために、モニターランプを装備した点検スイッチを設置した場合、モニターランプと反射板に有するモニターランプ孔とに位置ずれを生ずる虞があった。
【０００５】
本発明は、前述した課題を解決するためになされたものであり、その目的は、全体的な重量バランスを良好にして器具本体に傾きやねじれを生ずることがない高品質な照明器具を提供することにある。
【課題を解決するための手段】
【０００６】
本発明に係る照明器具は、光源を保持した器具本体と、前記光源を一般点灯させるための安定器および前記光源を非常点灯させるための非常灯ブロックと、非常灯用の電池の充電量を示すモニターランプと、前記充電量を確認するための点検スイッチと、前記安定器、前記非常灯ブロック、前記モニターランプ、前記点検スイッチを収納する非常灯ボックスと、を有する照明器具において、前記非常灯ボックスは、その幅方向の一方側に前記安定器を配置し、その幅方向の他方側に前記非常灯ブロックを配置していることを特徴とする。
【０００７】
本発明においては、非常灯ボックスの幅方向の一方側に重量部品である安定器が配置され、非常灯ボックスの幅方向の他方側に重量部品である非常灯ブロックが配置される。
これにより、本発明においては、器具本体の中心に配置される非常灯ボックス内に、重量部品である安定器と非常灯ブロックとが幅方向に対称に配置されることにより、器具本体に傾きやねじれを生ずることがない。
従って、本発明においては、全体的な重量バランスを良好にして器具本体に傾きやねじれを生ずることがなく高品質にすることができる。
【０００８】
本発明に係る照明器具は、上記照明器具において、前記器具本体は、前記非常灯ボックスを含む上面に空間を有することを特徴とする。
【０００９】
本発明においては、器具本体の非常灯ボックスを含む上面に空間が形成される。
これにより、本発明においては、非常灯ボックスを中心として器具本体の幅方向の一方側から器具本体の他方側に連通する空気の流路が形成される。
従って、本発明においては、非常灯ボックスを中心として器具本体の幅方向の一方側から器具本体の他方側に空気が対流することにより、器具本体の内部および非常灯ボックスの内部が効率よく放熱されて安定器、非常灯ブロック、モニターランプ、点検スイッチ等の温度上昇を防止できる。
【発明の効果】
【００１０】
本発明の照明器具によれば、非常灯ボックスは、幅方向の一方側に安定器を配置し、幅方向の他方側に非常灯ブロックを配置した。
これにより、本発明の照明器具によれば、全体的な重量バランスを良好にして器具本体に傾きやねじれを生ずることがなく高品質にすることができるという効果を有する。
【図面の簡単な説明】
【００１１】
【図１】本発明に係る一実施形態の照明器具の斜め下方から視た外観斜視図
【図２】図１の照明器具の斜め上方から視た外観斜視図
【図３】図１の照明器具の斜め上方から視た分解斜視図
【図４】図１の照明器具に適用される非常灯ボックスの斜め下方から視た外観斜視図
【図５】図４の非常灯ボックスの係合爪周りの一部破断外観斜視図
【図６】図１の照明器具の組付手順を説明する斜め下方から視た分解斜視図
【図７】図６により組付けられた器具本体と非常灯ボックスとの底面図
【図８】図１の照明器具の垂直断面図
【発明を実施するための形態】
【００１２】
以下、本発明の一実施形態に係る照明器具について図面を参照して説明する。
本発明の一実施形態である照明器具１０は、反射板１１と、反射板１１の内面に長手方向に配置される一対の直管状の蛍光ランプ１２と、反射板１１の長手方向に配置される器具本体１３と、器具本体１３に取付けられた一対の反射板支持部材１４と、器具本体１３に取り付けられた二対のソケット１５と、非常灯ボックス１６と、非常灯ボックス１６に収容された電源端子台１７、安定器１８、非常灯ブロック１９、モニターランプ２０を装備する点検スイッチ２１とを備えて、不図示の天井施工面に取り付けられる。
【００１３】
図１、図２、図３に示すように、反射板１１は、比較的薄い金属製板部材を用いて成形されている。反射板１１は、天板２２と、対向配置された一対の端板２３と、同じく対向配置された一対の側板２４とを有して下方を開放している。天板２２は、反射板支持部材１４に対応する位置に、丸孔の二対の反射板側反射板支持部材取付孔２５を有し、端板２３寄りに二対のソケット挿入孔２６を有する。天板２２は、一方の端板２３寄りに点検スイッチ２１に有するモニターランプ２０の確認用および点検スイッチ２１に有する操作用紐部材２７を挿通させるためのモニターランプ孔２８を有する。
【００１４】
器具本体１３は、反射板１１と同等の金属製板部材を用いて天板２９と、対向配置された一対の側板３０と、から垂直断面視コ字形状に形成されている。器具本体１３は、天板２９の両端部寄りに器具本体側反射板支持部材取付孔３１をそれぞれ有し、天板２９の両端部から中央部寄りに二対の非常灯ボックス取付孔３２をそれぞれ有し、天板２９の一方の端板２３寄りの中央部に電源端子台挿通孔３３を有する。器具本体１３は、その両端部にソケット支持部材３４をそれぞれ取り付けており、ソケット支持部材３４のそれぞれにソケット１５を２個ずつ取り付けている。ソケット１５はソケット支持部材３４の下方に向けて突出配置されている。
【００１５】
器具本体１３は、その両端部寄りに一対の反射板支持部材１４を取り付けている。反射板支持部材１４は、金属製や樹脂製であって略コ字形状の外形を有しており、水平に配置される基部３５の両端部に足部３６をそれぞれ接続している。反射板支持部材１４は、その基部３５の側部に、反射板１１の天板２２に有する反射板側反射板支持部材取付孔２５に対応した取付孔３７をそれぞれ有し、その基部３５の中央部に、器具本体１３の器具本体側反射板支持部材取付孔３１に対応した取付孔３８をそれぞれ有する。
【００１６】
電源端子台１７には、天井施工面側から商用電源を供給する電源線が電気的に接続され、電源端子台１７から安定器１８までの間が不図示の器具電線により電気的に接続される。そして、安定器１８からは同じく不図示の器具電線がそれぞれのソケット１５まで配策される。
【００１７】
安定器１８は、インバータ回路等を内蔵した重量部品である。非常灯ブロック１９は、建築基準法に定められた避難誘導用の電灯であって重量部品である。非常灯ブロック１９は、商用施設や工業施設、宿泊施設等に対して設置が義務付けられており、蓄電池により数十分から数時間程度点灯し続ける能力を有しているため、避難の際に、もし停電したとしても、脱出の目標として使用できるようになっている。非常灯ブロック１９は、併用型であり、蛍光ランプ１２が通常時は一般電源、停電時は充電されている電池により非常灯が点灯する。非常灯ブロック１９は蓄電池を内蔵しており、通常の通電時に充電し、停電時に自動的に切り替わって点灯を司る。
【００１８】
非常灯ブロック１９に有する蓄電池の寿命は通常４年から６年程度のため定期的に交換する必要がある。非常灯ブロック１９の蓄電池は建築基準法により定期点検が義務付けられている。そのため、非常灯ブロック１９には点検スイッチ２１が取り付けられている。点検スイッチ２１は、操作用紐部材２７を床面側に吊り下げて装備しており、操作用紐部材２７を引くことにより停電時と同じ状態となるために、正常に動作するか否かの点検を行う。点検スイッチ２１に装備されるモニターランプ２０は、非常灯の動作状況や異常時の原因などを表示する。例えば、緑色のモニターランプ２０が点灯している場合は正常であり、赤色のモニターランプ２０が点灯、点滅または緑色のモニターランプ２０が点滅している場合には異常である。モニターランプ２０はモニターランプ孔２８を通じて床面側から目視される。
【００１９】
図４、図５に示すように、非常灯ボックス１６は、比較的薄い金属製板部材を用いて成形されている。非常灯ボックス１６は、天板３９と、対向配置された一対の端板４０と、同じく対向配置された一対の側板４１とを有して下方を開放している。非常灯ボックス１６は、天板３９の中央部に複数の空気流通孔４２を設けている。非常灯ボックス１６は、一方の側板４１の中央部分の一部に一対の非常灯ブロック取付孔４３を形成しており、この一方の側板４１の中央部分の一部の高さ寸法Ｌ１が非常灯ブロック１９の高さ寸法に略等しく、他方の側板４１の高さ寸法Ｌ２および一対の端板４０の高さ寸法Ｌ３よりも十分に長く形成されている。非常灯ボックス１６は、端板４０の中央部下端縁に一対のネジ孔４４を有する器具本体固定用フランジ４５をそれぞれ切り起こして形成しており、端板４０における切除部分に一対の対向する係止爪４６をそれぞれ突出形成している。
【００２０】
次に、非常灯ボックス１６への電源端子台１７、安定器１８、非常灯ブロック１９、点検スイッチ２１の取付けについて詳細に説明する。
図６、図７に示すように、電源端子台１７は器具本体１３の電源端子台挿通孔３３に挿通されるように非常灯ボックス１６の天板３９における一方の端板４０寄りの中央部に形成されている電源端子台取付部４７に取り付けられている。安定器１８は、非常灯ボックス１６の天板３９における幅方向の一方側に形成されている安定器取付部４８に取り付けられている。
【００２１】
非常灯ブロック１９は、非常灯ボックス１６の一方の側板４１に形成されている非常灯ブロック取付孔４３を介してネジ４９によりネジ止めされることにより非常灯ボックス１６の天板３９における幅方向の他方側に形成されている非常灯ブロック取付部５０に取り付けられている。点検スイッチ２１は、非常灯ブロック１９の天板３９における幅方向の他方側の非常灯ブロック取付部５０に並べられた点検スイッチ取付部５１に取り付けられている。
【００２２】
非常灯ボックス１６は、器具本体１３に向けて進行される際に、端板４０の係止爪４６が器具本体１３の側板３０のそれぞれ係止することにより器具本体１３に仮止めされる。そして、仮止めされている器具本体１３の天板２９に有する非常灯ボックス取付孔３２を介して非常灯ボックス１６の器具本体固定用フランジ４５に有するネジ孔４４にネジ５２がネジ止めされることにより非常灯ボックス１６が器具本体１３に組付けられる。
【００２３】
ここで、安定器１８は、器具本体１３を介して非常灯ボックス１６の天板３９における幅方向の一方側の安定器取付部４８に取り付けられ、これに反して、非常灯ブロック１９は、非常灯ボックス１６の天板３９における幅方向の他方側の非常灯ブロック取付部５０に取り付けられている。そのため、重量部品である安定器１８と同じく重量部品である非常灯ブロック１９とが器具本体１３を挟んで幅方向に対向配置されることにより全体的な重量配分に偏りがなく、器具本体１３に傾きやねじれを生ずることがない。器具本体１３に傾きやねじれを生じないために、反射板１１に有するモニターランプ孔２８は、点検スイッチ２１のモニターランプ２０および操作用紐部材２７に位置ずれすることなく一致して配置される。電源端子台１７と安定器１８と非常灯ブロック１９と点検スイッチ２１とは、それぞれが近接して配置されるために、それらを接続する一次配線は短い経路で配策され、それによって、ノイズ低減を図ることができる。
【００２４】
図８に示すように、電源端子台１７、安定器１８、非常灯ブロック１９、点検スイッチ２１をそれぞれ取り付けた非常灯ボックス１６を組付けた器具本体１３は、器具本体側反射板支持部材取付孔３１を介して反射板支持部材１４の取付孔３８にネジ止めされる。そして、反射支持部材１４は、取付孔３７を介して反射板１１の反射板側反射板支持部材取付孔２５にネジ５３がネジ止めされることにより、反射板支持部材１４を介して器具本体１３と反射板１１とが一体的に組み立てられる。
【００２５】
このとき、非常灯ボックス１６は、一方の側板４１の中央部分の一部の高さ寸法Ｌ１が非常灯ブロック１９の高さ寸法に略等しく、他方の側板４１の高さ寸法Ｌ２および一対の端板４０の高さ寸法Ｌ３よりも十分に長く形成されているために、一方の側板４１の一部分のみが反射板１１の天板２２に接触し、一方の側板４１の一部分を除いた側板４１の他の部分および他方の側板４１は反射板１１の天板２２に接触しない。そのため、照明器具１０は、反射板支持部材１４の一方側から非常灯ボックス１６内を通過して反射板支持部材１４の他方側へ連通する流体流路５４が形成され、流体流路５４内を空気が対流することにより、器具本体１３の内部および非常灯ボックス１６の内部を放熱することができる。
【００２６】
以上説明してきたように、本発明の一実施形態の照明器具１０では、非常灯ボックス１６の幅方向の一方側に重量部品である安定器１８が配置され、非常灯ボックス１６の幅方向の他方側に重量部品である非常灯ブロック１９が配置される。
これにより、本発明の一実施形態の照明器具１０では、器具本体１３の中心に配置される非常灯ボックス１６内に、重量部品である安定器１８と非常灯ブロック１９とが幅方向に対称に配置されることにより、器具本体１３に傾きやねじれを生ずることがない。
従って、本発明の一実施形態の照明器具１０では、全体的な重量バランスを良好にして器具本体１３に傾きやねじれを生ずることがなく高品質にすることができる。
【００２７】
本発明の一実施形態の照明器具１０では、器具本体１３の非常灯ボックス１６を含む上面に流体流路５１が形成される。
これにより、本発明の一実施形態の照明器具１０では、非常灯ボックス１６を中心として器具本体１３の幅方向の一方側から器具本体１３の他方側に連通する流体流路５１が形成される。
従って、本発明の一実施形態の照明器具１０では、非常灯ボックス１６を中心として器具本体１３の幅方向の一方側から器具本体１３の他方側に空気が対流することにより、器具本体１３の内部および非常灯ボックス１６の内部が効率よく放熱されて安定器１８、非常灯ブロック１９、モニターランプ２０、点検スイッチ２１等の温度上昇を防止できる。
【００２８】
なお、前記各実施形態で使用した反射板１１、蛍光ランプ１２、器具本体１３、反射板支持部材１４、ソケット１５等は例示したものに限定するものではなく適宜変更が可能である。
【符号の説明】
【００２９】
１０  照明器具
１１  反射板
１２  蛍光ランプ（光源）
１３  器具本体
１６  非常灯ボックス
１８  安定器
１９  非常灯ブロック
２０  モニターランプ
２１  点検スイッチ
５４  流体流路（空間）
【図１】
2011090926.tif 000003
【図２】
2011090926.tif 000004
【図３】
2011090926.tif 000005
【図４】
2011090926.tif 000006
【図５】
2011090926.tif 000007
【図６】
2011090926.tif 000008
【図７】
2011090926.tif 000009
【図８】
2011090926.tif 000010